(57)【特許請求の範囲】
【請求項１】
電動機で操作される操作機構を有する機器の当該操作機構に取り付けられる回転軸棒と、手動で回転操作することにより前記回転軸棒を介して電気が供給されていない状態の前記電動機に回転を伝達させるアームとを備えるハンドルにおいて、
前記回転軸棒をその周方向から囲む収納部と、前記アームの回転範囲よりも前記回転軸棒の径方向外側となるように前記収納部に設けられたカウンター表示部と、前記回転軸棒の回転数を検出する回転数検出機構とを有し、
前記回転数検出機構は、前記回転軸棒のうちの前記収納部内に位置する部位の側面から当該回転軸棒の径方向に突出した突部と、前記収納部内にて前記突部の回転軌道に沿った円周上に配置されて、前記突部との接触によりＯＮ／ＯＦＦされる複数のスイッチ部と、これらの各スイッチ部のＯＮ／ＯＦＦの数を検出するスイッチ部ＯＮ／ＯＦＦ検出回路と、前記検出回路で検出された各スイッチ部のＯＮ／ＯＦＦの数を積算する積算カウンターと、この積算カウンターで積算された各スイッチ部のＯＮ／ＯＦＦの数をハンドルの回転数に変換して前記カウンター表示部に数値として表示する表示回路とで構成されると共に、
前記各スイッチ部がＯＮになったときにこのスイッチ部のＯＮに連動して前記ハンドルの１回転未満の回転角度について視認可能な表示を行う回転角度表示部を更に有することを特徴とする回転角度表示部付きハンドル。
【請求項２】
前記回転角度表示部は、前記各スイッチ部の数及び配置に対応した数及び配置の点灯部を前記収納部の外面に有して構成されており、この点灯部は対応するスイッチ部がＯＮになったときに点灯することを特徴とした請求項１に記載の回転角度表示部付きハンドル。
【請求項３】
前記回転角度表示部は、前記ハンドルの回転開始位置を指標する基準点を有し、この基準点は、前記回転軸棒を中心として３６０度にわたってその位置を移動させることが可能であることを特徴とした請求項１又は２に記載の回転角度表示部付きハンドル。
【請求項４】
電動機で操作される操作機構を有する機器の当該操作機構に取り付けられる回転軸棒と、手動で回転操作することにより前記回転軸棒を介して電気が供給されていない状態の前記電動機に回転を伝達させるアームとを備えるハンドルにおいて、
前記回転軸棒をその周方向から囲む収納部と、前記アームの回転範囲よりも前記回転軸棒の径方向外側となるように前記収納部に設けられたカウンター表示部と、前記回転軸棒の回転数を検出する回転数検出機構とを有し、
前記回転数検出機構は、ハンドルの位置を検出する位置検出センサと、前記位置検出センサからの信号が入力されて前記回転軸棒の回転開始位置となる基準点を定め、この基準点から１回転したときに回転数１として検出する制御ユニットと、この制御ユニットで積算されたハンドルの回転数を数値として前記カウンター表示部に表示する表示回路とで構成されると共に、
前記回転軸棒の周囲に円環状と成るように複数の点灯部が配置されて成る回転角度表示部を更に有し、この回転角度表示部は、前記点灯部が前記基準点から前記位置検出センサで検出されたハンドルの位置までの範囲にわたって点灯することでハンドルの１回転未満の回転角度を表示することを特徴とする回転角度表示部付きハンドル。
【請求項５】
前記回転数検出機構と前記回転角度表示部とに電気を供給するための電源を有することを特徴とする請求項１から請求項４のいずれかに記載の回転角度表示部付きハンドル。
【発明の詳細な説明】
【技術分野】
【０００１】
この発明は、例えば変圧器の負荷時タップ切換装置の細密点検後の確認試験等で、ハンドルを規定された回数で手動により回転させる際に、この回転数を一回転数未満でも検出しやすくすることができる構造を備えたハンドルに関する。
【背景技術】
【０００２】
変圧器の負荷時タップ切換装置は、運転時では電動機によってタップが切り換えられるところ、負荷時タップ切換装置の細密点検後の確認試験等のメンテナンス時では、例えば特許文献１に示されるような手動ハンドルを、手動でタップを切り換えることができるよう、負荷時切換タップの電動操作機構の回転軸カバーに連結させて、この手動ハンドルを厳密に設定された回転数（例えば回転数３０回）ほど回転させてタップを切り換えることは、既に公知になっている。
【０００３】
そして、例えば特許文献２に示されるように、作業者自身が回転操作ハンドルの回転主軸の回転数を数える煩雑さを解消するために、回転主軸の回転数を検出する回転数検出部と、その検出回転数を操作ハンドル部及びその近くに表示する回転数表示部とを有する回転数検出器を備えたバルブ開閉操作器も既に公知になっている。
【０００４】
更に、検出回転数の表示の仕方として、例えば特許文献３に示されるように、ディスプレイに検出した数値を直接的に表示する構成も既に公知になっている。
【先行技術文献】
【特許文献】
【０００５】
【特許文献１】特開２００３−７５５０号公報
【特許文献２】特開平７−１９３７２号公報
【特許文献３】特開２００５−６５６６５号公報
【発明の概要】
【発明が解決しようとする課題】
【０００６】
しかしながら、いずれの特許文献１乃至３に記載の発明も、１回転毎の回転数しか検出し、表示部に表示することができないことから、１回転数未満分も含めて厳密に正確な回転数を知る必要がある場合、例えば変圧器の負荷時タップ切換装置の細密点検後の確認試験のように回転数のカウントミスをすると確認試験を再度実施する必要がある場合には、回転角度表示部付きハンドルとして用いるにあたっての有用性は十分でなかった。
【０００７】
そこで、本発明は、ハンドルの１回転毎の回転数を検出して表示することができるだけでなく、ハンドルの回転角度を表示することでハンドルの１回転数未満の回転数を検出しやすくすることができる回転角度表示部付きハンドルを提供することを目的とする。
【課題を解決するための手段】
【０００８】
この発明に係る回転角度表示部付きハンドルは、電動機で操作される操作機構を有する機器の当該操作機構に取り付けられる回転軸棒と、手動で回転操作することにより前記回転軸棒を介して電気が供給されていない状態の前記電動機に回転を伝達させるアームとを備えるハンドルにおいて、前記回転軸棒をその周方向から囲む収納部と、前記アームの回転範囲よりも前記回転軸棒の径方向外側となるように前記収納部に設けられたカウンター表示部と、前記回転軸棒の回転数を検出する回転数検出機構とを有し、前記回転数検出機構は、前記回転軸棒のうちの前記収納部内に位置する部位の側面から当該回転軸棒の径方向に突出した突部と、前記収納部内にて前記突部の回転軌道に沿った円周上に配置されて、前記突部との接触によりＯＮ／ＯＦＦされる複数のスイッチ部と、これらの各スイッチ部のＯＮ／ＯＦＦの数を検出するスイッチ部ＯＮ／ＯＦＦ検出回路と、前記検出回路で検出された各スイッチ部のＯＮ／ＯＦＦの数を積算する積算カウンターと、この積算カウンターで積算された各スイッチ部のＯＮ／ＯＦＦの数をハンドルの回転数に変換して前記カウンター表示部に数値として表示する表示回路とで構成されると共に、前記各スイッチ部がＯＮになったときにこのスイッチ部のＯＮに連動して前記ハンドルの１回転未満の回転角度について視認可能な表示を行う回転角度表示部を更に有することを特徴としている（請求項１）。ここで、機器とは、例えは変圧器の負荷時タップ切換装置をいい、操作機構とは、例えは負荷時タップ切換装置の電動操作機構をいう。
【０００９】
これによって、ハンドルの回転軸棒の回転数が一回転数未満の回転数を含む場合には、スイッチ部のＯＮに連動して回転角度表示部がハンドルの１回転未満の回転角度について視認可能な表示を行うので、この回転角度表示部により表示されたハンドルの回転角度から、ハンドルの一回転数未満の回転数を検出することが可能となる。
【００１０】
また、カウンター表示部は、回転数検出機構や回転角度表示部を備えた収納部に対して前記アームの回転範囲よりも前記回転軸棒の径方向外側となるように設けられているので、カウンター表示部を収納部のうちのアームの回転範囲内に設ける場合に比し、カウンター表示部がアームで隠されることがなく、カウンター表示部に表示されたハンドルの回転数が見やすくなる。
【００１１】
そして、この発明に係る回転角度表示部付きハンドルにあって、前記回転角度表示部は、前記各スイッチ部の数及び配置に対応した数及び配置の点灯部を前記収納部の外面に有して構成されており、この点灯部は対応するスイッチ部がＯＮになったときに点灯することを特徴としている（請求項２）。ここで、回転角度表示部の点灯部としては、例えばＬＥＤが用いられる。ここで、例えばスイッチ部の数が８個の場合には回転角度表示部の点灯部の数も８個又は８の倍数とする。
【００１２】
これにより、ハンドルの回転開始位置に定めた基準点に対する回転角度表示部の点灯している点灯部の位置を確認することで、ハンドルの基準点からの１回転未満の回転角度が検出され、これに伴い、点灯部の数が８つの場合には、１／８から７／８までの１回転数未満の回転数を検出することが可能となる。
【００１３】
更に、この発明に係る回転角度表示部付きハンドルにあって、前記回転角度表示部は、前記ハンドルの回転開始位置を指標する基準点を有し、この基準点は、前記回転軸棒を中心として３６０度にわたってその位置を移動させることが可能であることを特徴としている（請求項３）。
【００１４】
これにより、基準点をハンドルの回転開始位置に合致させることができるので、ハンドルの回転が回転角度表示部の点灯部のいずれの位置から開始する場合でも、基準点に対する回転角度表示部の点灯している点灯部の位置を確認するのみで、ハンドルの基準点からの１回転未満の回転角度を検出することができるので、これに伴い、点灯部の数が８つの場合には、１／８から７／８までの１回転数未満の回転数を確実且つ正確に検出することが可能となる。
【００１５】
一方で、この発明に係る回転角度表示部付きハンドルは、電動機で操作される操作機構を有する機器の当該操作機構に取り付けられる回転軸棒と、手動で回転操作することにより前記回転軸棒を介して電気が供給されていない状態の前記電動機に回転を伝達させるアームとを備えるハンドルにおいて、前記回転軸棒をその周方向から囲む収納部と、前記アームの回転範囲よりも前記回転軸棒の径方向外側となるように前記収納部に設けられたカウンター表示部と、前記回転軸棒の回転数を検出する回転数検出機構とを有し、前記回転数検出機構は、ハンドルの位置を検出する位置検出センサと、前記位置検出センサからの信号が入力されて前記回転軸棒の回転開始位置となる基準点を定め、この基準点から１回転したときに回転数１として検出する制御ユニットと、この制御ユニットで積算されたハンドルの回転数を数値として前記カウンター表示部に表示する表示回路とで構成されると共に、前記回転軸棒の周囲に円環状と成るように複数の点灯部が配置されて成る回転角度表示部を更に有し、この回転角度表示部は、前記点灯部が前記基準点から前記位置検出センサで検出されたハンドルの位置までの範囲にわたって点灯することでハンドルの１回転未満の回転角度を表示することを特徴としている（請求項４）。
【００１６】
これによって、基準点からハンドルの回転位置までの回転角度表示部の点灯部の点灯範囲を確認することにより、ハンドルの基準点からの１回転未満の回転角度が検出され、これに伴い、ハンドルの１回転数未満の回転数を細かく検出することが可能となる。
【００１７】
また、カウンター表示部は、回転数検出機構や回転角度表示部を備えた収納部に対してアームの回転範囲よりも回転軸棒の径方向外側に設けられているので、カウンター表示部を収納部のうちアームの回転範囲内に設ける場合に比し、カウンター表示部がアームで隠されることがなく、カウンター表示部に表示されたハンドルの回転数が見やすくなる。
【００１８】
そして、いずれの回転角度表示部付きハンドルにおいても、前記回転数検出機構と前記回転角度表示部とに電気を供給するための電源を有することを特徴としている（請求項５）。ここで、電源としては、例えばソーラパネルを有して成るソーラ部等が挙げられる。
【００１９】
これにより、カウンター表示部や回転数検出機構や回転角度表示部を駆動するための電気を得るために、機器から回転角度表示部付きハンドルまで電線等を引く必要性がなくなる。
【発明の効果】
【００２０】
以上のように、請求項１から請求項３、及び請求項５に記載の発明によれば、ハンドルの回転軸棒の回転数が一回転未満の回転数においては、回転角度表示部でスイッチ部のＯＮに連動してハンドルの回転角度について視認可能な表示を行うため、この回転角度表示部によるハンドルの回転角度を確認することにより、ハンドルの一回転数未満の回転数を検出することが可能となるので、例えば変圧器の負荷時タップ切換装置の細密点検後の確認試験のように１回転数未満分も含めて厳密に正確なハンドルの回転数を知る必要がある場合に、この発明に係る回転角度表示部付きハンドルを積極的に用いることができる。
【００２１】
特に請求項２に記載の発明によれば、ハンドルの回転開始位置に定めた基準点に対する回転角度表示部の点灯している点灯部の位置を確認することで、ハンドルの基準点からの１回転未満の回転角度が１回転（３６０°）を複数等分（８等分）した精度で検出され、これに伴い、等分した数に応じて、例えば８等分の場合には１／８から７／８までの１回転数未満のハンドルの回転数を検出することが可能となるので、ハンドルの一回転数未満の回転数をより確実且つ正確に知ることができる。
【００２２】
特に請求項３に記載の発明によれば、基準点をハンドルの回転開始位置に合致させることができるため、ハンドルの回転が回転角度表示部の点灯部のいずれの位置から開始する場合でも、基準点に対する回転角度表示部の点灯している点灯部の位置を確認するのみで、ハンドルの基準点からの１回転未満の回転角度を検出することができ、これに伴い、等分した数に応じて、例えば８等分の場合には１／８から７／８までの１回転数未満のハンドルの回転数を検出することが可能となるので、ハンドルの回転開始位置を気にすることなく、ハンドルの一回転数未満の回転数をより確実且つ正確に検出することができる。
【００２３】
また、請求項４及び請求項５に記載の発明によれば、基準点からハンドルの回転位置までの回転角度表示部の点灯部の点灯範囲を確認することにより、ハンドルの基準点からの１回転未満の回転角度が検出され、これに伴い、ハンドルの１回転数未満の回転数を細かく検出することが可能となるので、例えば変圧器の負荷時タップ切換装置の細密点検後の確認試験のように１回転数未満分も含めて厳密に正確なハンドルの回転数を知る必要がある場合に、この発明に係る回転角度表示部付きハンドルをより積極的に用いることができる。
【００２４】
そして、請求項５に記載の発明によれば、カウンター表示部や回転数検出機構や回転角度表示部を駆動するための電気を得るために、機器から回転角度表示部付きハンドルまで電線等を引く必要性がなくなるので、回転角度表示部付きハンドルの構成が複雑になるのを防止することが可能である。
【図面の簡単な説明】
【００２５】
【図１】図１は、この発明に係る回転角度表示部付きハンドルが用いられるＬＴＣ切換動作監視装置の一例の構成を示した概略図である。
【図２】図２は、この発明に係る回転角度表示部付きハンドルの実施例１を示した説明図であり、図２（ａ）はこの回転角度表示部付きハンドルの断面図、図２（ｂ）はこの回転角度表示部付きハンドルの正面図である。
【図３】図３は、この発明に係る回転角度表示部付きハンドルの回転数検出機構の構成を示すブロック図である。
【図４】図４は、この発明に係る回転角度表示部付きハンドルの実施例１を示した説明図であり、更に詳述するとこの回転角度表示部付きハンドルの正面図である。
【図５】図５は、この発明に係る回転角度表示部付きハンドルの回転数検出機構及び回転角度表示部の構成を示すブロック図である。
【図６】図６は、この発明に係る回転角度表示部付きハンドルの回転数検出機構及び回転角度表示部を構成する制御ユニットによる制御を示すフローチャートである。
【発明を実施するための形態】
【００２６】
以下、この発明の実施形態を図面に基づいて説明する。
図１において、この発明に係る回転角度表示部付きハンドル（以下、ハンドルと略す。）１２が用いられるＬＴＣ切換動作監視装置の一例が示されている。このＬＴＣ切換動作監視装置は、負荷時タップ切換装置１と、負荷時タップ切換装置１を駆動する電動機２と、電動機２の電動軸に取り付けられた軸トルクセンサ３と、電動機２の駆動力を負荷時タップ切換装置１に伝達するための傘歯車機構４とを備えている。
【００２７】
このうち、負荷時タップ切換装置１は、変圧器５に組み付けられるもので、変圧器５のタンク５ａ内に収納されたタップ選択器１ａ及び転換器１ｂと、一部がタンク５ａ内に収納され他の一部がタンク５ａの上面から突出した切換開閉器１ｃとで構成されている。負荷時タップ切換装置１の切換開閉器１ｃと傘歯車機構４の一方の傘歯車４ａとは横連結駆動軸棒６で連結され、傘歯車機構４の他方の傘歯車４ｂと電動機２とは軸トルクセンサ３から延びる縦連結駆動軸棒７で連結されている。
【００２８】
電動機２は、縦連結駆動軸棒７、傘歯車機構４、横連結駆動軸棒６を介して負荷時タップ切換装置１を電動操作するためのもので、この電動機２及び下記するハンドル取付機構１０の軸棒１０ａの回転を負荷時タップ切換装置１の駆動に適した回転数の回転に減速するための減速機構８と共に、変圧器５のタンク５ａの外部に配置されたケース９内に収納されている。
【００２９】
ハンドル取付機構１０は、この実施例では、軸棒１０ａと、この軸棒１０ａの先端に設けられて、下記する実施例１又は実施例２に係るハンドル１２の回転軸棒１３が装着される装着部１０ｂとを有している。
【実施例１】
【００３０】
実施例１に係るハンドル１２は、図２に示されるように、ハンドル取付機構１０の装着部１０ｂに挿入されて、ハンドル取付機構１０の軸棒１０ａと一体に回転する回転軸棒１３と、手動で回転操作することにより回転軸棒１３を介して電動機２の軸棒１０ａに回転を伝達させる棒状のアーム１４とを備えている。アーム１４はその先端において当該アーム１４の径方向に延びるグリップ部１４ａを有している。
【００３１】
そして、ハンドル１２の回転軸棒１３は、その周方向から内部が空洞の略円柱状の収納部１５で囲まれていると共に、この収納部１５内に収納されたベアリング部１６により収納部１５の内面に回転可能に保持されている。すなわち、収納部１５は、ハンドル１２を回しても回転軸棒１３と一緒には回転せず、不動のものとなっている。
【００３２】
さらに、収納部１５のうち回転軸棒１３の径方向の外側にはボックス１７が設けられており、このボックス１７は、ハンドル１２の回転数を１回転数単位で表示するカウンター表示部１８と、リセットボタン１９とが配置されている。カウンター表示部１８はデジタル表示であってもアナログ表示であっても良い。
【００３３】
ところで、ハンドル１２は、ハンドル１２の回転数を１回転数ずつ検出する回転数検出機構２１を有している。この回転数検出機構２１は、図２及び図３に示されるように、回転軸棒１３のうちの収納部１５内に位置する部位の側面から回転軸棒１３の径方向に突出した突部２２と、収納部１５内にて突部２２の回転軌道に沿った円周上に等間隔（この実施例１では４５°間隔）に配置されて、突部２２との接触によりＯＮ／ＯＦＦされる８個のスイッチ部２３と、各スイッチ部２３のＯＮ／ＯＦＦを検出するスイッチ部ＯＮ／ＯＦＦ検出回路２４と、スイッチ部２３のＯＮ／ＯＦＦ回数を積算する積算カウンター２５と、その積算値をハンドル１２の回転数に変換してカウンター表示部１８に数値表示するカウンター表示回路２６と、前記リセットボタン１９と、このリセットボタン１９が押下されたときに積算カウンター２５をリセットするリセット回路２７とを備えている。尚、スイッチ部２３の数は８個に限定されず、等間隔に配置されるのであれば用途や必要に応じて自由に定めることができる。
【００３４】
スイッチ部２３は突部２３ａが本体部２３ｂから出没可能となっており、回転軸棒１３が回転して、回転軸棒１３の突部２２がスイッチ部２３の突部２３ａを押して本体部２３ｂ内に没入させることにより、スイッチ部２３はＯＮになり、回転軸棒１３の突部２２がスイッチ部２３の突部２３ａから離れ、突部２３ａが本体部２３ｂに没入した状態から復帰することで、スイッチ部２３はＯＦＦになるようになっている。もっとも、この構成に限定されず、回転軸棒１３の突部２２とスイッチ部２３の突部２３ａとが接触した際に通電し、回転軸棒１３の突部２２がスイッチ部２３の突部２３ａから離れた際に遮断されることで、スイッチ部２３がＯＮ／ＯＦＦされる等としても良い。
【００３５】
これにより、回転軸棒１３が回転していくと、突部２２が各スイッチ部２３突部２３ａを順番に押圧し且つその押圧を解除していくので、スイッチ部２３のＯＮ／ＯＦＦも順番に漏れなく行われ、スイッチ部ＯＮ／ＯＦＦ検出回路２４で検出された各スイッチ部２３のＯＮ／ＯＦＦの積算カウンター２５における積算値がスイッチ部２３の総数８に合致したときに、ハンドル１２が１回転したと判定することができるので、カウンター表示回路２６で回転数１に変換され、カウンター表示部１８における表示がインクリメントされる。一方で、ハンドル１２の回転数を数え直す場合には、リセットボタン１９を押下すれば、積算カウンター２５がリセットされ、これがカウンター表示回路２６を介してカウンター表示部１８に伝達されて、カウンター表示部１８の表示は０にされる。
【００３６】
さらに、ハンドル１２は、図２に示されるように、当該ハンドル１２の１回転未満の回転角度を表示するための回転角度表示部２９を有している。この回転角度表示部２９は、スイッチ部２３のＯＮ／ＯＦＦに着目するもので、収納部１５のハンドル取付機構１０とは反対側に配置され、スイッチ部２３の数に対応して周方向に等間隔（この実施例１では４５°間隔）に配置された８個のＬＥＤ３０と、回転角度表示部の回転開始位置を指標する基準点３１とで構成されている。すなわち、回転軸棒１３の突部２２と各スイッチ部２３とは、回転角度表示部２９としても構成されている。そして、この実施例１では、基準点３１を有する円環状のプレート３２が回転軸棒１３を中心点として回転自在となるように収納部１５に装着されている。ＬＥＤ３０の数もスイッチ部２３と同様に８個に限定されず、且つスイッチ部２３の数と同数でなくても良く、用途や必要に応じて自由に定めることができる。
【００３７】
そして、回転数検出機構２１や回転角度表示部２９、特にＬＥＤ３０の発光に対して電気を供給する電源として、この実施例１ではボックス１７にソーラ部３３が設けられている。これにより、ハンドル１２は、ＬＴＣ切換動作監視装置等の外部装置から電気の供給を受ける必要がなくなっている。
【００３８】
このような構成としたことにより、アーム１４を持ってハンドル１２を手動で回転させたときには、回転軸棒１３の突部２２がスイッチ部２３の突部２３ａを押圧している際に、この突部２３ａが押圧されているスイッチ部２３に対応するＬＥＤ３０が発光するので、基準点３１からのＬＥＤ３０の位置を確認することにより、ハンドル１２の基準点３１からの回転角度を４５°ずつ検出することができ、これに伴い、ハンドル１２の１回転数未満の回転について、１／８回転、２／８回転、３／８回転、４／８回転、５／８回転、６／８回転、及び、７／８回転として、１／８回転ずつ検出することができる。しかも、プレート３２を回転させることにより基準点３１の位置を変えることができるため、アーム１４の位置が例えば鉛直方向に沿って下がった位置以外からハンドル１２の回転を始めても、その開始位置に基準点３１が来るように調整することができので、ハンドル１２の１回転数未満の回転を正確に検出することができる。
【実施例２】
【００３９】
実施例２に係るハンドル１２は、図４に示されるように、回転軸棒１３と、アーム１４と、回転軸棒１３をその周方向から囲む収納部１５と、カウンター表示部１８、リセットボタン１９及びソーラ部３３を備えボックス１７を有して構成されている点では、実施例１と同様であるが、ハンドル１２の回転数を１回転数ずつ検出する回転数検出機構２１とハンドル１２の一回転未満の回転角度を表示する回転角度表示部２９の構造等は実施例１と異なっている。以下、実施例１と同様の構成については同一の符号を付することで基本的にその説明を省略し、実施例１と異なる箇所を中心に説明する。
【００４０】
回転数検出機構２１は、図４及び図５に示されるように、ハンドル１２の位置を検出する位置検出センサ３６と、位置検出センサ３６からの出力信号やリセットボタン１９を押下した場合にその旨の信号が入力され、ハンドル１２の回転数を１回転数単位で積算する制御ユニット３７と、ハンドル１２の積算された回転数をカウンター表示部１８に数値表示させるためのカウンター表示回路２６とを備えている。
【００４１】
また、回転角度表示部２９は、例えば１６個に分割された分割ＬＥＤ４０と、この分割ＬＥＤ４０を個別に点灯させるためのＬＥＤ駆動回路４１と、４つの基準点３１ａ、３１ｂ、３１ｃ、３１ｄとを備え、前記回転数検出機構２１との関連で説明した位置検出センサ３６、制御ユニット３７も、回転角度表示部２９の構成要素としても機能する。分割ＬＥＤ４０は、例えば青色又は赤色のように異なる２色の一方を選択して点灯することが可能である。
【００４２】
このような構成において、制御ユニット４２は、図６に示されるフローでの制御を行っている。すなわち、リセットボタン１９が押下されたかどうかをステップ１０１で判定し、リセットボタン１９が押下されていない場合には、ステップ１０２に進んで位置検出センサ３６にてハンドル１２の位置を検出し、ハンドル１２の位置に合わせて基準点３１ａ乃至３１ｄのいずれかから分割ＬＥＤ４０を順次点灯させていく。次に、ステップ１０４でハンドル１２が基準点３１ａ乃至３１ｄを起点として１回転したか否かを判定し、１回転した場合にはカウンター表示部１８の表示をインクリメントし、１回転していない場合にはステップ１０１まで戻る。そして、ステップ１０５でカウンター表示部１８の表示をインクリメントした場合には、ステップ１０６で分割ＬＥＤ４０の表示をリセット（消灯）した後、ステップ１０１まで戻る。
【００４３】
これに対し、ステップ１０１でリセットボタン１９が押下されたと判定された場合には、ステップ１０７に進んでカウンター表示部１８の表示をリセットし、更に、ステップ１０８に進んで分割ＬＥＤ４０の表示もリセット（消灯）する。その後は、ステップ１０９に進んで位置検出センサ３６にてハンドル１２の位置を検出し、ステップ１１０で基準点３１ａ乃至３１ｄを選択し、この選択された基準点３１ａ乃至３１ｄに近い分割ＬＥＤ４０を所定色（例えばステップ１０３で点灯させる分割ＬＥＤ４０の色が青色であれば赤色などの判別容易な色）で点灯させた後ステップ１０１に戻る。
【００４４】
これにより、回転角度表示部２９は、位置検出センサ３６で検出されたハンドル１２の位置に基づき選択した基準点３１ａ乃至３１ｄに近い分割ＬＥＤ４０を所定色で発光させ、ハンドル１２を回転していくとこの所定色（例えば赤色）で発光した基準点３１に位置する分割ＬＥＤ４０に続く分割ＬＥＤ４０を基準点３１に位置する分割ＬＥＤ４０とは別の色（例えば青色）にて順次点灯させて行くので、分割ＬＥＤ４０の点灯の範囲を確認することにより、ハンドル１２の１回転未満の回転角度を検出し、これに伴いハンドル１２の１回転数未満の回転数を検出することができ、基準点３１も当該基準点３１に位置して点灯する分割ＬＥＤ４０の色が他の点灯する分割ＬＥＤ４０の色とは異なるので基準点３１をすぐに確認することができる。しかも、１／８ずつハンドル１２の回転角度を表示する実施例１よりも更に細かくハンドル１２の１回転未満の回転角度を表示することができるので、ハンドル１２の１回転数未満の回転数の検出精度も向上する。
【符号の説明】
【００４５】
１  負荷時タップ切換装置
２  電動機
５  変圧器
１０  ハンドル取付機構
１０ａ  軸棒
１０ｂ  装着部
１２  ハンドル
１３  回転軸棒
１４  アーム
１５  収納部
１８  カウンター表示部
１９  リセットボタン
２１  回転数検出機構
２２  突部
２３  スイッチ部
２３ａ  突部
２３ｂ  本体部
２４  スイッチ部ＯＮ／ＯＦＦ検出回路
２５  積算カウンター
２６  カウンター表示回路
２７  リセット回路
２９  回転角度表示部
３０  ＬＥＤ
３１（３１ａ乃至３１ｄ）  基準点
３２  プレート
３３  ソーラ部
３６  位置検出センサ
３７  制御ユニット
３７  分割ＬＥＤ
４０  分割ＬＥＤ
４１  ＬＥＤ駆動回路
４２  制御ユニット
【図１】
0005279864.tif 000002
【図２】
0005279864.tif 000003
【図３】
0005279864.tif 000004
【図４】
0005279864.tif 000005
【図５】
0005279864.tif 000006
【図６】
0005279864.tif 000007